(57)【要約】【課題】脱着可能なヘッドを取外して洗浄することができる化粧容器用ヘッドの提供。【解決手段】ブッシュと、スポンジ製ヘッドと、連接チューブと、を含む化粧容器用ヘッドにおいて、前記ブッシュは、中空であり、環状突起と、第１結合部と、を含み、前記スポンジ製ヘッドは、少なくとも一つの貫通孔と、環状凸部と、を含み、前記環状凸部が前記スポンジ製ヘッドの外周面の一端に設けられ、前記スポンジ製ヘッドが前記ブッシュに挿入され、前記環状凸部が前記ブッシュの前記環状突起に当接され、これにより、前記スポンジ製ヘッドは、前記ブッシュから外部に突出され、前記環状突起に規制され、前記連接チューブは、中空であり、受け軸と、第２結合部と、環状台座と、を含み、前記受け軸が前記スポンジ製ヘッドに設けられた貫通孔に貫入され、前記スポンジ製ヘッドが前記ブッシュと前記連接チューブの間に規制される。【選択図】図４
0003152229.tif 000002
【実用新案登録請求の範囲】
【請求項１】
ブッシュと、スポンジ製ヘッドと、連接チューブと、を含む化粧容器用ヘッドにおいて、
前記ブッシュは、中空であり、環状突起と、第１結合部と、を含み、
前記スポンジ製ヘッドは、少なくとも一つの貫通孔と、環状凸部と、を含み、前記環状凸部が前記スポンジ製ヘッドの外周面の一端に設けられ、前記スポンジ製ヘッドが前記ブッシュに挿入され、前記環状凸部が前記ブッシュの前記環状突起に当接され、これにより、前記スポンジ製ヘッドは、前記ブッシュから外部に突出され、前記環状突起に規制され、
前記連接チューブは、中空であり、受け軸と、第２結合部と、環状台座と、を含み、前記受け軸が前記スポンジ製ヘッドに設けられた貫通孔に貫入され、前記第１結合部と前記第２結合部の結合により、前記スポンジ製ヘッドが前記ブッシュと前記連接チューブの間に規制され、前記ブッシュが前記環状台座に当接され、前記第１結合部と前記第２結合部の結合が脱着可能であることを特徴とする、化粧容器用ヘッド。
【請求項２】
前記連接チューブには、更に、フレキシブル容器が連接され、前記第１結合部がメス螺旋部であり、前記第２結合部がオス螺旋部であることを特徴とする、請求項１に記載の化粧容器用ヘッド。
【請求項３】
化粧容器が、回転可能な二つのヘッドを有する化粧ペンであることを特徴とする、請求項１に記載の化粧容器用ヘッド。
【考案の詳細な説明】
【技術分野】
【０００１】
本考案は、化粧容器用ヘッドに係り、特に、脱着可能なヘッドを取外して洗浄することができる化粧容器用ヘッドに関するものである。
【背景技術】
【０００２】
従来の化粧液（例えばファンデーション液や斑被せ膏など）を収容する化粧容器は、化粧容器を押すことにより化粧液を押出すものが多く、手またはパフにより押出された化粧液を均一にして顔に付けるが、ユーザの手が化粧液に直接接触することが必要であるので、手が汚れ、衛生面の問題があり、且つ化粧した後に手を洗う必要があるので、極めて不便であった。そしてパフを利用する場合には、パフを別に携帯することが必要であり、且つパフの利用によりユーザの手を汚れることが多い。
【考案の概要】
【考案が解決しようとする課題】
【０００３】
本考案の主な目的は、パフを別に携帯する必要がなく、構成が簡単化され、化粧液がユーザの手に接触しない化粧容器用ヘッドを提供することにある。
【０００４】
本考案の次の目的は、ヘッドが脱着可能であり、ヘッドを化粧容器から取外して洗浄することが便利になり、且つ押出された化粧液がユーザの手に接触しない化粧容器用ヘッドを提供することにある。
【０００５】
本考案の別の目的は、用途に応じてスポンジ製ヘッドの体積を変化することができ、すなわち、化粧液がファンデーション液や斑被せ膏である場合には、スポンジ製ヘッドの体積をより小さくし、なお、化粧液が乳液やエッセンシャルオイルである場合には、スポンジ製ヘッドの体積をより大きくしてスポンジ製ヘッドに複数の貫通孔を設けることにより、化粧液の流出が速められる化粧容器用ヘッドを提供することにある。
【課題を解決するための手段】
【０００６】
本考案の請求項１に記載の化粧容器用ヘッドによると、ブッシュと、スポンジ製ヘッドと、連接チューブと、を含む化粧容器用ヘッドにおいて、前記ブッシュは、中空であり、環状突起と、第１結合部と、を含み、前記スポンジ製ヘッドは、少なくとも一つの貫通孔と、環状凸部と、を含み、前記環状凸部が前記スポンジ製ヘッドの外周面の一端に設けられ、前記スポンジ製ヘッドが前記ブッシュに挿入され、前記環状凸部が前記ブッシュの前記環状突起に当接され、これにより、前記スポンジ製ヘッドは、前記ブッシュから外部に突出され、前記環状突起に規制され、前記連接チューブは、中空であり、受け軸と、第２結合部と、環状台座と、を含み、前記受け軸が前記スポンジ製ヘッドに設けられた貫通孔に貫入され、前記第１結合部と前記第２結合部の結合により、前記スポンジ製ヘッドが前記ブッシュと前記連接チューブの間に規制され、前記ブッシュが前記環状台座に当接され、前記第１結合部と前記第２結合部の結合が脱着可能であることを特徴とする化粧容器用ヘッドである。
【０００７】
本考案の請求項２に記載の化粧容器用ヘッドによると、前記連接チューブには、更に、フレキシブル容器が連接され、前記第１結合部がメス螺旋部であり、前記第２結合部がオス螺旋部である。
【０００８】
本考案の請求項３に記載の化粧容器用ヘッドによると、化粧容器は回転可能な二つのヘッドを有する化粧ペンである。
【考案の効果】
【０００９】
本考案の化粧容器用ヘッドによれば、次のような効果がある。
（１）パフを別に携帯する必要がなく、構成が簡単化され、化粧液がユーザの手に接触しない。
【００１０】
（２）ヘッドが脱着可能であり、ヘッドを化粧容器から取外して洗浄することが便利になり、且つ押出された化粧液がユーザの手に接触しない。
【００１１】
（３）用途に応じてスポンジ製ヘッドの体積を変化することができ、すなわち、化粧液がファンデーション液や斑被せ膏である場合には、スポンジ製ヘッドの体積をより小さくし、なお、化粧液が乳液やエッセンシャルオイルである場合には、スポンジ製ヘッドの体積をより大きくしてスポンジ製ヘッドに複数の貫通孔を設けることにより、化粧液の流出が速められ、このように、利用可能な用途が多くなる。
【図面の簡単な説明】
【００１２】
【図１】本考案の第１実施形態の組合状態の斜視図である。
【図２】本考案の第１実施形態の分解斜視図である。
【図３】本考案の第１実施形態の別の分解斜視図である。
【図４】本考案の第１実施形態の断面図である。
【図５】本考案の第１実施形態のスポンジ製ヘッドの断面図である。
【図６】本考案の第２実施形態のスポンジ製ヘッドの断面図である。
【図７】本考案にフレキシブルチューブを結合した実施形態の模式図である。
【図８】本考案に二ヘッド付き化粧ペンを結合した実施形態の模式図である。
【考案を実施するための形態】
【００１３】
以下、本考案の実施の形態を図面に基づいて説明する。
【００１４】
まず、図１から図８を参照する。本考案の化粧容器用ヘッドは、ブッシュ１０と、スポンジ製ヘッド２０と、連接チューブ３０と、を含む。前記ブッシュ１０は、中空であり、環状突起１１と、第１結合部１２と、を含む。前記スポンジ製ヘッド２０は、少なくとも一つの貫通孔２１と、環状凸部２２と、を含み、前記スポンジ製ヘッド２０が高密度なスポンジであり、化粧液がこのようなスポンジに付着し難くて均一に分散される効果があり、且つ化粧液が前記スポンジ製ヘッド２０に設けられた貫通孔２１を経由して流出され、前記環状凸部２２が前記スポンジ製ヘッド２０の外周面の一端に設けられ、前記スポンジ製ヘッド２０が前記ブッシュ１０に挿入され、前記環状凸部２２が前記ブッシュ１０の前記環状突起１１に当接され、これにより、前記スポンジ製ヘッド２０は、前記ブッシュ１０から外部に突出され、前記環状突起１１に規制される。
【００１５】
前記連接チューブ３０は、中空であり、受け軸３１と、第２結合部３２と、環状台座３３と、を含み、前記受け軸３１が前記スポンジ製ヘッド２０に設けられた貫通孔２１に貫入され、前記第１結合部１２と前記第２結合部３２の結合により、前記スポンジ製ヘッド２０が前記ブッシュ１０と前記連接チューブ３０の間に規制され、前記ブッシュ１０が前記環状台座３３に当接され、前記第１結合部１２と前記第２結合部３２の結合が脱着可能であるので、前記ブッシュ１０と前記連接チューブ３０を容易に分解して前記スポンジ製ヘッド２０を洗浄することができる。
【００１６】
前記スポンジ製ヘッド２０は、図５に示すように、半楕円形状を呈してもよい。
【００１７】
前記スポンジ製ヘッド２０は、図６に示すように、更に、傾斜面２３を含んでもよく、前記スポンジ製ヘッド２０がリップグロスのヘッドとされる場合には、前記傾斜面２３の先端によりリップにラインを描くことができる。
【００１８】
前記第１結合部１２はメス螺旋部である。
【００１９】
前記第２結合部３２はオス螺旋部である。
【００２０】
前記連接チューブ３０には、図７に示すように、更に、フレキシブル容器４０が連接される。
【００２１】
また、化粧容器は、図８に示すように回転可能な２ヘッドを有する化粧ペン５０である。
【産業上の利用可能性】
【００２２】
本考案は、化粧容器に適用することができる。
【符号の説明】
【００２３】
１０      ブッシュ
１１      環状突起
１２      第１結合部
２０      スポンジ製ヘッド
２１      貫通孔
２２      環状凸部
２３      傾斜面
３０      連接チューブ
３１      受け軸
３２      第２結合部
３３      環状台座
４０      フレキシブル容器
５０      ２ヘッドを有する化粧ペン
【図１】
0003152229.tif 000003
【図２】
0003152229.tif 000004
【図３】
0003152229.tif 000005
【図４】
0003152229.tif 000006
【図５】
0003152229.tif 000007
【図６】
0003152229.tif 000008
【図７】
0003152229.tif 000009
【図８】
0003152229.tif 000010